(57)【要約】【課題】電力線の通信用回線への混触を迅速かつ適確に検知して特定し得る混触回線特定装置を提供する。【解決手段】通信用回線からの信号を試験弾器を介して分流して、発光部２３に入力し、この入力信号が呼び出し信号である場合、発光部２３が点滅し、ハウラ信号である場合、発光部２３が所定の持続時間のみ発光し、電力線からの混触による電力信号である場合、発光部２３が連続的に発光し、これにより電力線の混触した通信用回線を特定することができる。【選択図】　　　図２
2004080107.tif 000002
【特許請求の範囲】
【請求項１】
電力線が混触した通信用回線を特定する混触回線特定方法であって、
通信用回線を介して入力される信号に含まれる直流成分を除去し、この直流成分を除去した入力信号に応答し発光する発光手段が、連続的に発光しているときには当該通信用回線を電力線と混触していると特定することを特徴とする混触回線特定方法。
【請求項２】
電力線が混触した通信用回線を特定する混触回線特定装置であって、
通信用回線を介して入力される信号に含まれる直流成分を除去する直流除去手段と、
この直流成分を除去した入力信号の一部を分流する分流手段と、
この分流手段で分流した入力信号に応答して、当該通信用回線が電力線と混触しているときには連続的に発光し、前記入力信号が呼び出し信号であるときには点滅し、ハウラ信号であるときには所定の持続時間のみ発光する発光手段と
を有することを特徴とする混触回線特定装置。
【請求項３】
前記発光手段に供給される入力信号の電流を所定の電流以下に制限する電流制限手段を有することを特徴とする請求項２記載の混触回線特定装置。
【発明の詳細な説明】
【０００１】
【発明の属する技術分野】
本発明は、商用電源などからの電力線が電話回線などの通信用回線に混触した場合、この混触した通信用回線を適確に検知して特定する混触回線特定装置に関する。
【０００２】
【従来の技術】
例えば図１に示すように、電話回線などの通信用回線３に商用電源などからの電力線１００が混触した場合、交換所５の内部において通信用回線３に接続されている交換装置１１の加入者回路１２に混触電流が流入し、加入者回路１２を故障させたり、更には交換装置１１をも故障させるなどの影響が発生する恐れがあるため、混触した通信用回線３を迅速に検知して特定し、電力線１００の混触を除去することが重要である。
【０００３】
図７に示すように、通信用回線３に流れる通信用信号の電圧レベルは、通常約−４８Ｖから約１５５Ｖであり、また図１に示すように交換所５において交換装置１１の手前に設けられている避雷素子からなる避雷用弾器７は、図７に示すように、｜ＶＨ｜よりも大きい電圧に対して動作するようになっている。これに対して通信用回線３に混触する電力線１００からの電圧レベルは、商用電源の種別に応じて実効値ＡＣ１００Ｖ，ＡＣ２００Ｖなどがあるが、通信用回線のケーブルの線路抵抗による電圧降下の影響を受けて避雷用弾器７においては図７に示すように数Ｖｒｍｓから約２００Ｖｒｍｓとなり、最大値で約２８０Ｖから約−２８０Ｖとなる。
【０００４】
このように電力線１００からの電圧レベルの約２８０Ｖから約−２８０Ｖに対して避雷用弾器７が動作する範囲は｜ＶＨ｜よりも大きい電圧に対してであり、図７において斜線（実線）で示す範囲の電圧に対して避雷用弾器７は動作せず、混触した電力線１００からの混触電流はそのまま交換装置１１の加入者回路１２に流入し、加入者回路１２が故障する場合がある。
【０００５】
【発明が解決しようとする課題】
上述したように、通信用回線３に電力線１００が混触した場合、加入者回路１２を故障させるなどの恐れがあるため、混触した通信用回線３を迅速に検知して特定し、電力線１００の混触を除去することが必要であるが、通信用回線に流れている通信用信号の影響などにより交換所５内において電力線１００の混触した通信用回線３を検知して特定することは困難であるという問題がある。
【０００６】
従来は、電力線１００の通信用回線３への混触により加入者回路１２が故障した場合に、この加入者回路１２に接続されている通信用回線３に接続されている加入者からの故障申告などにより通信用回線を切り分けて特定し、電力線１００の混触を除去するという方法をとっているため、電力線１００の通信用回線３への混触の検知および特定までに多大の時間がかかるとともに、その間加入者は電話などを使用することができないという問題がある。
【０００７】
本発明は、上記に鑑みてなされたもので、その目的とするところは、電力線の通信用回線への混触を迅速かつ適確に検知して特定し得る混触回線特定装置を提供することにある。
【０００８】
【課題を解決するための手段】
上記目的を達成するため、請求項１記載の本発明は、電力線が混触した通信用回線を特定する混触回線特定方法であって、通信用回線を介して入力される信号に含まれる直流成分を除去し、この直流成分を除去した入力信号に応答し発光する発光手段が、連続的に発光しているときには当該通信用回線を電力線と混触していると特定することを要旨とする。
【０００９】
請求項１記載の本発明にあっては、電力線からの混触による電力信号であるときには、発光手段が連続的に発光するため、発光手段の点灯状態や点滅状態をチェックすることにより電力線の混触が発生したかを適確かつ短時間で特定することができる。
【００１０】
また、請求項２記載の本発明は、電力線が混触した通信用回線を特定する混触回線特定装置であって、通信用回線を介して入力される信号に含まれる直流成分を除去する直流除去手段と、この直流成分を除去した入力信号の一部を分流する分流手段と、この分流手段で分流した入力信号に応答して、当該通信用回線が電力線と混触しているときには連続的に発光し、前記入力信号が呼び出し信号であるときには点滅し、ハウラ信号であるときには所定の持続時間のみ発光する発光手段とを有することを要旨とする。
【００１１】
請求項２記載の本発明にあっては、電力線からの混触による電力信号であるときには、発光手段が連続的に発光し、呼び出し信号であるときには、発光手段が点滅し、ハウラ信号であるときには、発光手段が所定の持続時間のみ発光するため、発光手段の点灯状態や点滅状態をチェックすることによりどの通信用回線に電力線の混触が発生したかを適確かつ短時間で特定することができ、この通信用回線に混触している電力線を迅速に除去し、交換装置や加入者回路に対する影響を最小限に食い止めることができ、更に作業者の感電にたいする危険性をより確実に回避することができる。
【００１２】
また、請求項３記載の本発明は、請求項２記載の発明において、前記発光手段に供給される入力信号の電流を所定の電流以下に制限する電流制限手段を有することを要旨とする。
【００１３】
請求項３記載の本発明にあっては、発光手段に供給される入力信号の電流を所定の電流以下に制限するため、発光手段の破損を防止することができる。
【００１４】
【発明の実施の形態】
以下、図面を用いて本発明の実施の形態を説明する。図１は、本発明の一実施形態に係る電力線の混触回線特定装置を交換所５に適用した場合の構成を示す図である。
【００１５】
同図に示すように、各家庭などの加入者には電話回線などの通信用回線３が複数、交換所５から敷設されているが、この複数の通信用回線３は、交換所５の交換装置１１内の加入者回路１２に接続される前において雷サージ電流などが加入者回路１２に流入するのを防止するように交換装置１１の手前で避雷用弾器７に接続され、この避雷用弾器７には時々断防止機能付試験弾器９が並列に設けられて通信用回線３に接続されているので、この試験弾器９に本実施形態の電力線の混触回線特定装置１を図示のように接続し、通信用回線３に混触して流入する電力線１００からの電力信号を試験弾器９から分流して、電力線の混触回線特定装置１に供給し、これにより電力線１００の混触した通信用回線３を検知して特定するようにしている。
【００１６】
電力線の混触回線特定装置１は、図２に示すように、各通信用回線３に試験弾器９を介して接続され、通信用回線３に混触して流入する電力線１００からの電力信号が入力される入力部２１（２１ａ〜２１ｎ）、各回線毎の発行手段としての発光部２３（２３ａ〜２３ｎ）、電流制限手段としての電流制限部２５（２５ａ〜２５ｎ）、分流手段としての誘導電流等バイパス回路部２７（２７ａ〜２７ｎ）および直流除去手段としての直流カット部２９（２９ａ〜２９ｎ）を複数、各通信用回線３毎に設けて構成されている。
【００１７】
更に具体的には、電力線の混触回線特定装置１は、図３に示すように、交換所５において加入者側に接続される通信用回線３と交換装置側に接続される通信用回線３との間を接続するように設けられた避雷用弾器７に並列に設けられている時々断防止機能付試験弾器９に入力部２１を接続する。また、電力線の混触回線特定装置１の発光部２３は、図３に具体的に示すように、例えば発光ダイオードなどからなる複数のランプが各通信用回線３毎に設けられて構成され、これによりランプが点灯した通信用回線３に電力線１００が混触したものであると特定することができるようになっている。すなわち、通信用回線３に電力線１００が混触すると、同図において黒塗りの星印で示すように当該通信用回線３に対応するランプが点灯するようになっている。なお、同図に示すように、発光部２３を構成する複数のランプをチェックすることができるように発光部２３の接続はコネクタ接続で行われ、このコネクタを介して発光部２３を電源などに接続することによりすべてのランプの動作をチェックすることができるようになっている。
【００１８】
図２に示すように構成される電力線の混触回線特定装置１の電流制限部２５は、図４に示すように、電流が所定の制限電流値Ｉｏを超えると、この制限電流値Ｉｏ以上電流が増大しないように制限し、これにより発光部２３や誘導電流等バイパス回路部２７などが破損されることを防止するようになっている。
【００１９】
次に、図５に示すフローチャートを参照して、以上のように構成される本実施形態の電力線の混触回線特定装置１の作用について説明する。
【００２０】
図５において、まず電力線の混触回線特定装置１の入力部２１を試験弾器９に挿入して通信用回線３に接続すると（ステップＳ１１）、通信用回線３からの各種信号のうち直流成分は、電力線の混触回線特定装置１の直流カット部２９でカットされ（ステップＳ１３）、交流成分のみが試験弾器９を介して分流されて入力される（ステップＳ１５）。
【００２１】
この分流されて入力された信号は、電力量が小さい場合には、誘導電流等バイパス回路部２７に分流されて入力され（ステップＳ１９）、発光部２３にはほとんど流れない（ステップＳ２１）。すなわち、発光部２３の電流は制限電流値Ｉｏよりも非常に小さい。従って、発光部２３は点灯せず、消灯したままであり、電力線１００の混触はなく（ステップＳ２３）、通話信号、ノイズ、交流誘導信号のみであると判明する（ステップＳ２５）。
【００２２】
また、ステップＳ１７の判定において、分流信号の電力量が大きい場合には、誘導電流等バイパス回路部２７に分流されてから（ステップＳ３１）、発光部２３に電流制限部２５で制限された制限電流値Ｉｏに等しい電流が流れ（ステップＳ３３）、この電流により通信用回線３に対応する発光部２３のランプが点灯する（ステップＳ３５）。
【００２３】
従って、この発光部２３のランプの点灯状態を目視し、連続的に点灯しているのかまたは例えば１０〜２０秒程度だけ点灯しているのかまたは点滅しているのかを判断することにより電力線１００が通信用回線３に混触しているのか否かを判断することができる（ステップＳ３７）。
【００２４】
すなわち、この判断の結果、発光部２３のランプが点灯している場合には、この点灯持続時間を判断し（ステップＳ３９）、図６（ａ）に示すように、明るく連続的に点灯し続ける場合には、電力線１００の商用電源による通信用回線３への混触であるとわかるので、この連続的に点灯しているランプを検知することにより、通信用回線３を特定することができる（ステップＳ４１）。
【００２５】
また、図６（ｃ）に示すように、発光部２３のランプの点灯持続時間が１０〜２０秒程度のように短時間であり、明るく点灯する場合には、４００Ｈｚのハウラの通信用信号とわかり、電力線１００の混触ではないと判断できる（ステップＳ４３）。更に、図６（ｂ）に示すように、発光部２３のランプが明るく点滅している場合には、１５〜２０Ｈｚの呼び出し信号（ＩＲ）である通信用信号であるとわかり、電力線１００の混触ではないと判断できる（ステップＳ４５）。
【００２６】
【発明の効果】
以上説明したように、本発明によれば、電力線からの混触による電力信号である場合、発光部が連続的に発光し、呼び出し信号である場合、発光部が点滅し、ハウラ信号である場合、発光部が所定の持続時間のみ発光するので、発光部の点灯状態や点滅状態をチェックすることによりどの通信用回線に電力線の混触が発生したかを適確かつ短時間で特定することができ、この通信用回線に混触している電力線を迅速に除去し、交換装置や加入者回路に対する影響を最小限に食い止めることができ、更に作業者が感電するような危険を回避することができる。
【００２７】
また、本発明によれば、発光部に供給される入力信号の電流を所定の電流以下に制限するので、発光部などの破損を防止することができる。
【図面の簡単な説明】
【図１】本発明の一実施形態に係る混触回線特定装置を交換所に適用した場合の構成を示す図である。
【図２】図１に示す実施形態の混触回線特定装置の回路構成を示すブロック図である。
【図３】図１に示す実施形態の混触回線特定装置の概略的構成をわかり易く示す説明図である。
【図４】図１に示す実施形態の混触回線特定装置に使用されている電流制限部の電圧対電流特性を示すグラフである。
【図５】図１に示す実施形態の混触回線特定装置の作用を示すフローチャートである。
【図６】図１に示す実施形態の混触回線特定装置に使用されている発光部の点灯および点滅状態を示す波形図である。
【図７】通信用回線における避雷素子の動作電圧レベル、通信用信号の電圧レベル、商用電源混触による電圧レベル、商用電源混触時の避雷素子が動作しない範囲などを示して従来の問題を説明するための図である。
【符号の説明】
１　混触回線特定装置
３　通信用回線
５　交換所
７　避雷用弾器
９　試験弾器
１１　交換装置
２１　入力部
２３　発光部
２５　電流制限部
２７　誘導電流等バイパス回路部
２９　直流カット部
【図１】
2004080107.tif 000003
【図２】
2004080107.tif 000004
【図３】
2004080107.tif 000005
【図４】
2004080107.tif 000006
【図５】
2004080107.tif 000007
【図６】
2004080107.tif 000008
【図７】
2004080107.tif 000009